(57)【要約】【課題】外部機器がテレビジョン受像機から抜かれるときに、テレビジョン受像機をスタンバイ状態に制御することができる技術を提供する。【解決手段】入力ソース制御部１２は、ＵＳＢメモリ等の外部機器２が外部入力部１１２から抜かれたことを検出すると、現在の入力ソース設定が外部機器２に対応したものであって、電源ＯＮ状態であるときに、電源状態制御部１５を介して電源ＯＮ状態からスタンバイ状態に移行させる。【選択図】図１
2013186707.tif 000002
【特許請求の範囲】
【請求項１】
外部入力手段に接続されていた外部機器における接続が取り外されたことを検出すると、出力すべき入力ソースとして前記外部機器が設定されているときに、電源状態をスタンバイ状態に移行させる制御手段を備えた
ことを特徴とするテレビジョン受像機。
【請求項２】
前記制御手段は、
主電源がＯＦＦ状態になった直前の前記外部入力手段と前記外部機器との接続状態が接続中であり、前記主電源がＯＮ状態になった直後に前記外部入力手段から前記外部機器の接続が取り外されたことを検出すると、出力すべき入力ソースとして前記外部機器が設定されているときに、電源状態をスタンバイ状態に移行させる
ことを特徴とする請求項１に記載のテレビジョン受像機。
【請求項３】
前記外部入力手段に対する前記外部機器の接続又は接続の取り外しに対する前記制御手段の処理内容をユーザに設定させる設定手段を備えたことを特徴とする請求項１又は２に記載のテレビジョン受像機。
【請求項４】
前記外部機器の接続が取り外されようとしていることを信号線のノイズにより検出すると、前記外部機器に対する処理を終了して前記外部機器を取り外し可能に制御する取り外し手段とを備えたことを特徴とする請求項１から３までのいずれか一項に記載のテレビジョン受像機。
【請求項５】
前記外部機器との接点に設けられ、接圧を検出する感圧手段を有し、
前記取り外し手段は、前記外部機器の接続が取り外されようとしていることを前記接圧の変化により検出すると、前記外部機器に対する処理を終了して前記外部機器を取り外し可能に制御する取り外し手段とを備えたことを特徴とする請求項１から３までのいずれか一項に記載のテレビジョン受像機。
【請求項６】
前記外部機器がタップされたことを検出すると、予め設定されたタップ回数に対応して、前記外部機器に格納されたデータをコピー又は消去するデータ処理手段を備えたことを特徴とする請求項１から５までのいずれか一項に記載のテレビジョン受像機。
【請求項７】
前記外部機器は、ＵＳＢメモリであることを特徴とする請求項１から６までのいずれか一項に記載のテレビジョン受像機。
【請求項８】
前記外部機器は、メモリーカードであることを特徴とする請求項１から６までのいずれか一項に記載のテレビジョン受像機。
【請求項９】
前記制御手段は、前記外部入力手段と前記外部機器とが接続されたことを検出すると、出力すべき入力ソースを前記外部機器に設定し、電源状態を電源ＯＮ状態に移行させ、前記ＵＳＢメモリに格納されたデータを再生させる
ことを特徴とする請求項１から８までのいずれか一項に記載のテレビジョン受像機。
【請求項１０】
外部入力手段と外部機器とが接続されたことを検出すると、出力すべき入力ソースを前記外部機器に設定する入力ソース制御手段と、
前記外部入力手段と前記外部機器とが接続されたときに、電源状態を電源ＯＮ状態に移行させる電源制御手段と、
前記外部機器に格納されたデータを再生させる再生手段と
を備えたことを特徴とするテレビジョン受像機。
【発明の詳細な説明】
【技術分野】
【０００１】
本発明は、複数の入力ソースに対応したテレビジョン受像機に関する。
【背景技術】
【０００２】
近年、ＵＳＢ（Universal Serial Bus）メモリが著しく普及しつつある。このことから、ＵＳＢメモリに対応した電子機器も多く普及しつつある。ユーザは、例えば、インターネットを介してダウンロードした動画や音楽をＵＳＢメモリに保存することができる。ユーザは、そのＵＳＢメモリをテレビジョン受像機に接続して、リモコン等の操作により、ＵＳＢメモリを介してテレビジョン受像機で動画や音楽を楽しむことができる。
【０００３】
このように、ＵＳＢメモリを用いて動画や音楽を再生させることが増えつつあり、ＵＳＢメモリを介したデータ再生について、ユーザの利便性を向上させる機能が望まれている。
【０００４】
例えば、ＵＳＢメモリが接続されたことを検出すると、自動的に装置の電源をＯＮ状態にして、ファンクションをＵＳＢモードに切り替えるとともに、ＵＳＢメモリに格納された映像データ又は音声データを再生する再生装置が知られている（例えば、特許文献１を参照）。
【先行技術文献】
【特許文献】
【０００５】
【特許文献１】特開２００７−１１８０２号公報
【発明の概要】
【発明が解決しようとする課題】
【０００６】
しかしながら、特許文献１に記載の技術では、例えばテレビジョン受像機からＵＳＢメモリ等の外部機器を抜く際の制御が考慮されていなかった。そのため、ユーザは、例えば、データを再生し終えたＵＳＢメモリを抜いた後にテレビジョン受像機を利用しない場合、再びテレビジョン受像機をスタンバイ状態に戻す操作を行わなければならず、煩雑であった。
【０００７】
本発明は上記課題に鑑みてなされたものであり、外部機器がテレビジョン受像機から抜かれるときに、テレビジョン受像機をスタンバイ状態に制御することができる技術を提供することを目的とする。
【課題を解決するための手段】
【０００８】
本発明のテレビジョン受像機は、外部入力手段に接続されていた外部機器における接続が取り外されたことを検出すると、出力すべき入力ソースとして前記外部機器が設定されているときに、電源状態をスタンバイ状態に移行させる制御手段を備えたことを特徴とする。
また、前記制御手段は、主電源がＯＦＦ状態になった直前の前記外部入力手段と前記外部機器との接続状態が接続中であり、前記主電源がＯＮ状態になった直後に前記外部入力手段から前記外部機器の接続が取り外されたことを検出すると、出力すべき入力ソースとして前記外部機器が設定されているときに、電源状態をスタンバイ状態に移行させてもよい。
また、前記外部入力手段に対する前記外部機器の接続又は接続の取り外しに対する前記制御手段の処理内容をユーザに設定させる設定手段を備えてもよい。
また、前記外部機器の接続が取り外されようとしていることを信号線のノイズにより検出すると、前記外部機器に対する処理を終了して前記外部機器を取り外し可能に制御する取り外し手段とを備えてもよい。
また、前記外部機器との接点に設けられ、接圧を検出する感圧手段を有し、前記取り外し手段は、前記外部機器の接続が取り外されようとしていることを前記接圧の変化により検出すると、前記外部機器に対する処理を終了して前記外部機器を取り外し可能に制御する取り外し手段とを備えてもよい。
また、前記外部機器がタップされたことを検出すると、予め設定されたタップ回数に対応して、前記外部機器に格納されたデータをコピー又は消去するデータ処理手段を備えてもよい。
また、前記外部機器は、ＵＳＢメモリであってもよい。
また、前記外部機器は、メモリーカードであってもよい。
また、前記制御手段は、前記外部入力手段と前記外部機器とが接続されたことを検出すると、出力すべき入力ソースを前記外部機器に設定し、電源状態を電源ＯＮ状態に移行させ、前記ＵＳＢメモリに格納されたデータを再生させてもよい。
本発明のテレビジョン受像機は、外部入力手段と外部機器とが接続されたことを検出すると、出力すべき入力ソースを前記外部機器に設定する入力ソース制御手段と、前記外部入力手段と前記外部機器とが接続されたときに、電源状態を電源ＯＮ状態に移行させる電源制御手段と、前記外部機器に格納されたデータを再生させる再生手段とを備えたことを特徴とする。
【発明の効果】
【０００９】
本発明によれば、外部機器がテレビジョン受像機から抜かれるときに、テレビジョン受像機をスタンバイ状態に制御することができる。
【図面の簡単な説明】
【００１０】
【図１】本発明に係る実施形態のテレビジョン受像機の構成を示す機能ブロック図である。
【図２】図１に示すテレビジョン受像機におけるＵＳＢ接続状態検出処理の流れを示すフローチャートである。
【図３】図２に示すＵＳＢ接続状態検出処理による表示部の画面変化を示すイメージ図である。
【図４】ＵＳＢメモリの着脱時の処理内容を設定するメニュー設定の様子を示した図である。
【図５】ユーザによって設定されたＵＳＢメモリの着脱時の処理内容に従って動作するテレビジョン受像機の様子を示した図である。
【発明を実施するための形態】
【００１１】
本実施形態は、テレビジョン受像機が、ＵＳＢメモリ等の外部機器が接続されたことを検出すると、電源ＯＮ状態にして、出力すべき入力ソースを接続された外部機器に設定するとともに、外部機器のデータを自動的に再生するものである。また、テレビジョン受像機は、この外部機器の接続が取り外されたことを検出すると、入力ソースが取り外された外部機器として設定されている場合に、電源状態を電源ＯＮ状態からスタンバイ状態に移行させることができる。
以下、図を参照して本発明の実施形態を詳細に説明する。
【００１２】
図１に示すように、テレビジョン受像機１は、入力ソース取得部１１と入力ソース制御部１２とコンテンツ処理部１３と出力部１４と電源状態制御部１５と本体処理制御部１６とリモコン受信部１７とを備えている。本体処理制御部１６は、ＣＰＵ（Central Processing Unit）等により構成され、不図示のＲＯＭ（Read Only Memory）等に格納されたプログラムをＲＡＭ（Random Access Memory）等に展開して実行することで、各部を制御してテレビジョン受像機１の機能を実現させている。また、本体処理制御部１６は、リモコン受信部１７を介してリモコン３からの制御信号を取得し、制御信号に従って各部の制御を行う。
【００１３】
入力ソース取得部１１は、チューナー部１１１と外部入力部１１２とを備えている。
チューナー部１１１は、不図示のアンテナやケーブル等を介して、デジタル放送やアナログ放送、衛星放送、ケーブル放送、ＩＰ放送等の放送信号を受信して、チャンネル番号に対応する番組を選局する。チューナー部１１１は、選局した放送信号を復調し、映像データと音声データとＯＳＤ（On Screen Display）やＥＰＧ（Electronic Program Guide）等のデータとに分離して、映像データ及び音声データのデコードを行う。そして、チューナー部１１１は、映像データ及び音声データを入力ソース制御部１２に出力する。
【００１４】
外部機器２は、ＵＳＢメモリ２−１、ＳＤカード等であるメモリーカード２−２等で構成される。外部機器２には、ＢＤ（ブルーレイディスク）レコーダ２−ｎ等の外部記録媒体読み込み装置も含まれる。ＵＳＢメモリ２−１は、外部入力部１１２のＵＳＢインターフェースに対応している。また、メモリーカード２−２は、外部入力部１１２のメモリーカードインターフェースに対応している。ＢＤレコーダ２−ｎは、ＨＤＭＩ（High Definition Multimedia Interface）を備えている。このように、外部機器２は、外部入力部１１２が備える外部インターフェースに対応した外部インターフェースをそれぞれ有しており、外部インターフェースを介して外部入力部１１２に接続される。外部機器２は、外部入力部１１２の制御の下、映像データや音声データを外部入力部１１２に出力する。また、外部機器２は、インターネット等のネットワークを介して取得した映像データや音声データをストリーミング形式で外部入力部１１２に出力してもよい。
【００１５】
外部入力部１１２は、ＨＤＭＩやＵＳＢインターフェース、メモリーカードインターフェース等の複数の外部インターフェースを備えている。外部入力部１１２は、外部インターフェースを介して外部機器２が接続されているか否かの接続状態を検出する。また、外部入力部１１２は、外部機器２が接続されたことを検出すると、入力ソース制御部１２の制御の下、外部機器２から映像データや音声データを取得して、入力ソース制御部１２に出力する。また、外部入力部１１２は、暗号化されたデータを複合したり、圧縮されたデータを解凍・伸長したりするデコーダ部を有してもよい。外部入力部１１２は、外部機器２から取得した映像データや音声データが暗号化されたり圧縮されたりしている場合、デコーダ部により映像データ及び音声データをデコードさせた後に、入力ソース制御部１２に出力する。
【００１６】
入力ソース制御部１２は、ビデオセレクタ部１２１とオーディオセレクタ部１２２とを有している。入力ソース制御部１２は、入力ソース設定に対応する入力ソースの映像データをビデオセレクタ部１２１を介して映像処理部１３２に出力させ、入力ソース設定に対応する入力ソースの音声データをオーディオセレクタ部１２２を介して音声出力制御部１３５に出力させる。入力ソース設定は、出力元となる入力ソースを示し、リモコン３等を介して切替可能である。入力ソース設定には、テレビジョン受像機１の入力ソースに対応して、アナログＲＧＢ入力、Ｃｏｍｐｏｓｉｔｅ入力、Ｓビデオ入力、Ｃｏｍｐｏｎｅｎｔ入力、Ｄ端子入力、ＨＤＭＩ入力、ＵＳＢ入力、ＡＴＶ入力、テレビ入力等がある。入力ソース制御部１２は、リモコン３等により設定された入力ソース設定に従って、チューナー部１１１からの映像データ又は外部入力部１１２に接続されたいずれかの外部機器２からの映像データのいずれかを、ビデオセレクタ部１２１を介してコンテンツ処理部１３に出力する。同様に、入力ソース制御部１２は、リモコン３等により設定された入力ソース設定に従って、チューナー部１１１からの音声データ又は外部入力部１１２に接続されたいずれかの外部機器２からの音声データのいずれかを、オーディオセレクタ部１２２を介してコンテンツ処理部１３に出力する。
【００１７】
また、入力ソース制御部１２は、外部入力部１１２によって検出される各外部機器２の接続状態について、ＧＰＩＯ（General Purpose Input Output）を用いて取得する。例えば、入力ソース制御部１２は、例えばポーリングタイミング等の一定周期毎にＧＰＩＯの電圧がＨｉｇｈであるかＬｏｗであるかを測定し、ＧＰＩＯの電圧がＨｉｇｈであれば外部機器２の接続状態が未接続であると判定し、ＧＰＩＯの電圧がＬｏｗであれば外部機器２の接続状態が接続中であると判定する。また、入力ソース制御部１２は、各周期の接続状態を１周期分ずつ不図示のメモリに記憶している。入力ソース制御部１２は、今周期の接続状態と前周期の接続状態（記憶した接続状態）とを比較して、例えば、前周期の接続状態が未接続であり今周期の接続状態が接続中であれば、外部入力部１１２に外部機器２が挿入（接続）されたと判定し、前周期の接続状態が接続中であり今周期の接続状態が未接続であれば、外部入力部１１２から外部機器２が抜かれた（接続が解除された）と判定する。
【００１８】
入力ソース制御部１２は、外部入力部１１２に外部機器２が挿入されたと判定すると、電源状態制御部１５に現在の電源状態を確認させ、現在の電源状態がスタンバイ状態であれば、リモコン等によるユーザ操作を必要とせずに、自動的にスタンバイ状態から復帰させて電源ＯＮ状態に移行させる。それとともに、入力ソース制御部１２は、入力ソース設定を接続が検出された外部機器２に設定して、ビデオセレクタ部１２１にその外部機器２の映像データを映像処理部１３２へ出力させるよう制御し、オーディオセレクタ部１２２にその外部機器２の音声データを音声出力制御部１３５へ出力させるよう制御する。一方、入力ソース制御部１２は、外部入力部１１２から外部機器２が抜かれたと判定すると、現在の入力ソース設定が抜かれた外部機器２に対応するものである場合、電源状態制御部１５により現在の電源状態が電源ＯＮ状態であれば、リモコン等によるユーザ操作を必要とせずに、自動的にスタンバイ状態に移行させる。
【００１９】
電源状態制御部１５は、入力ソース制御部１２又はリモコン３等の制御指示に応じて、電源状態を電源ＯＮ状態からスタンバイ状態に移行させたり、スタンバイ状態から復帰させて電源ＯＮ状態に移行させたりする。ここで、スタンバイ状態とは、少なくとも表示部１４１に対する電力供給が停止された状態を言い、電源ＯＮ状態とは、少なくとも表示部１４１に対して電力が供給されている状態を言う。
【００２０】
コンテンツ処理部１３は、ＯＳＤ処理部１３１と映像処理部１３２と加算部１３３と表示制御部１３４と音声出力制御部１３５とを有している。映像処理部１３２は、入力ソース制御部１２のビデオセレクタ部１２１を介して映像データを取得し、シャープネスやコントラスト等の調整や、ノイズリダクション処理等の映像処理を行って、加算部１３３に出力する。
【００２１】
ＯＳＤ処理部１３１は、映像データに合成すべきＯＳＤやＥＰＧ等のデータがある場合、そのデータを加算部１３３に出力する。また、ＯＳＤ処理部１３１は、入力ソース制御部１２における入力ソース設定に対応する入力ソースの種別を文字やアイコン等により、加算部１３３を介して所定時間映像データに合成する。
【００２２】
加算部１３３は、ＯＳＤ処理部１３１から取得したＯＳＤやＥＰＧ等のデータを映像処理部１３２から取得した映像データに加算（合成）して、表示制御部１３４に出力する。表示制御部１３４は、加算部１３３から取得した映像データを調整して、出力部１４の表示部１４１に表示させる。
【００２３】
音声出力制御部１３５は、入力ソース制御部１２のオーディオセレクタ部１２２を介して取得した音声データを調整して、出力部１４のスピーカ１４２から出力させる。
【００２４】
図２を参照して、外部機器２の接続状態検出処理の一例として、ＵＳＢメモリ２−１の接続状態検出処理の流れを説明する。本処理は、所定のポーリングタイミングで繰り返し行われる。なお、本処理では、今周期のＵＳＢメモリ２−１の接続状態を「USB Plug」に保持し、前周期のＵＳＢメモリ２−１の接続状態を「USB Pre State」に保持する。本処理では、予め「USB Pre State」には、「Active」又は「NotActive」のいずれかの値が設定されているものとする。例えば、テレビジョン受像機１の主電源が最初にＯＮ状態にされたときの各部の初期設定において、入力ソース制御部１２が、外部入力部１１２を介してＵＳＢメモリ２−１の接続状態を検出し、ＵＳＢメモリ２−１の接続状態が未接続であれば、「USB Pre State」に「NotActive」を設定し、ＵＳＢメモリ２−１の接続状態が接続中であれば、「USB Pre State」に「Active」を設定すればよい。
【００２５】
まず、ステップＡ１０で、入力ソース制御部１２は、ＧＰＩＯの出力値によってＵＳＢメモリ２−１の接続状態を検出する。具体的には、入力ソース制御部１２は、ＧＰＩＯの出力値がＬｏｗであるとき、ＵＳＢメモリ２−１が接続されていると検出し、ＧＰＩＯの出力値がＨｉｇｈであるとき、ＵＳＢメモリ２−１が接続されていないと検出する。次に、ステップＡ１１で、入力ソース制御部１２は、ＵＳＢメモリ２−１が接続されているか判定する。ステップＡ１１でＹｅｓの場合、ステップＡ１２で、入力ソース制御部１２は、今周期のＵＳＢメモリ２−１の接続状態情報を保持する変数である「USB Plug」に、ＵＳＢメモリ２−１が接続中であることを示す「Active」を代入する。
【００２６】
次に、ステップＡ１３で、入力ソース制御部１２は、前周期のＵＳＢメモリ２−１の接続状態情報を保持する変数である「USB Pre State」が「NotActive」であるか判定する。入力ソース制御部１２は、「USB Pre State」が「NotActive」でないと判定した場合（ステップＡ１３でＮｏ）、すなわち、「USB Pre State」が「Active」である場合なので、前周期のＵＳＢメモリ２−１の接続状態と今周期のＵＳＢメモリ２−１の接続状態とに変化がないと判定して、ステップＡ１８で、「USB Pre State」に「USB Plug」の値を代入することで、前周期のＵＳＢメモリ２−１の接続状態を今周期のＵＳＢメモリ２−１の接続状態に更新して、処理を終える。
【００２７】
一方、ステップＡ１３で、入力ソース制御部１２は、「USB Pre State」が「NotActive」であると判定した場合（ステップＡ１３でＹｅｓ）、前周期のＵＳＢメモリ２−１の接続状態が未接続であったのに対し、今周期のＵＳＢメモリ２−１の接続状態が接続中であるから、ＵＳＢメモリ２−１が外部入力部１１２に挿入されたと判定して、ステップＡ１４で、電源状態制御部１５を介してテレビジョン受像機１がスタンバイ中であるか判定する。
【００２８】
ステップＡ１４で、入力ソース制御部１２は、電源状態制御部１５を介してテレビジョン受像機１がスタンバイ中であると判定すると（ステップＡ１４でＹｅｓ）、ステップＡ１５で、電源状態制御部１５によりテレビジョン受像機１をスタンバイ状態から復帰させ、電源ＯＮ状態にする。
【００２９】
そして、ステップＡ１６で、入力ソース制御部１２は、入力ソース設定をＵＳＢ入力に設定する。ステップＡ１７で、入力ソース制御部１２は、外部入力部１１２を介してＵＳＢメモリ２−１に格納されていた映像データや音声データを取得して、ビデオセレクタ部１２１を介して映像データを表示部１４１に表示させ、オーディオセレクタ部１２２を介して音声データをスピーカ１４２から出力させる。これにより、図３（ａ）に示すように、スタンバイ状態のテレビジョン受像機１にＵＳＢメモリ２−１が挿入されることで、テレビジョン受像機１がスタンバイ状態から復帰するとともに入力ソース設定がＵＳＢ入力に切り替えられ、ＵＳＢメモリ２−１のデータが再生される。図２に戻り、その後、ステップＡ１８で、入力ソース制御部１２は、「USB Pre State」に「USB Plug」の値を代入して、処理を終える。
【００３０】
また、ステップＡ１４で、入力ソース制御部１２は、電源状態制御部１５を介してテレビジョン受像機１がスタンバイ中でないと判定すると（ステップＡ１４でＮｏ）、ステップＡ１９で、入力ソース設定がＵＳＢ入力であるか判定する。
【００３１】
ステップＡ１９で、入力ソース制御部１２は、入力ソース設定がＵＳＢ入力でないと判定すると（ステップＡ１９でＮｏ）、ステップＡ１６で、入力ソース設定をＵＳＢ入力に設定し、上述のステップＡ１７によりＵＳＢデータを再生させる。これにより、図３（ｂ）に示すように、例えば、入力ソース設定がテレビ入力に設定されてテレビ放送を表示中のテレビジョン受像機１に、ＵＳＢメモリ２−１が挿入されることで、入力ソース設定がＵＳＢ入力に切り替えられ、ＵＳＢメモリ２−１のデータが再生される。図２に戻り、その後、入力ソース制御部１２は、上述のステップＡ１８で、「USB Pre State」に「USB Plug」の値を代入して、処理を終える。
【００３２】
一方、ステップＡ１９で、入力ソース制御部１２は、入力ソース設定がＵＳＢ入力であると判定すると（ステップＡ１９でＹｅｓ）、上述のステップＡ１７によりＵＳＢデータを再生させ、上述のステップＡ１８で、「USB Pre State」に「USB Plug」の値を代入して、処理を終える。
【００３３】
これに対し、ステップＡ１１で、ＵＳＢが接続されていない場合（ステップＡ１１でＮｏ）、ステップＡ２０で、「USB Plug」に、ＵＳＢメモリ２−１が未接続であることを示す「NotActive」を代入する。
【００３４】
次に、ステップＡ２１で、入力ソース制御部１２は、「USB Pre State」が「Active」であるか判定する。ステップＡ２１で、入力ソース制御部１２は、「USB Pre State」が「Active」でないと判定した場合（ステップＡ２１でＮｏ）、すなわち、「USB Pre State」が「NotActive」である場合なので、前周期のＵＳＢメモリ２−１の接続状態と今周期のＵＳＢメモリ２−１の接続状態とに変化がないと判定して、上述のステップＡ１８で、「USB Pre State」に「USB Plug」の値を代入して、処理を終える。
【００３５】
一方、ステップＡ２１で、入力ソース制御部１２は、「USB Pre State」が「Active」であると判定した場合（ステップＡ２１でＹｅｓ）、前周期のＵＳＢメモリ２−１の接続状態が接続中であったのに対し、今周期のＵＳＢメモリ２−１の接続状態が未接続であるから、ＵＳＢメモリ２−１が外部入力部１１２から抜かれたと判定して、ステップＡ２２で、電源状態制御部１５を介してテレビジョン受像機１がスタンバイ中か判定する。
【００３６】
ステップＡ２２で、入力ソース制御部１２は、電源状態制御部１５を介してテレビジョン受像機１がスタンバイ中でないと判定すると（ステップＡ２２でＮｏ）、ステップＡ２３で、入力ソース設定がＵＳＢ入力であるか判定する。
【００３７】
ステップＡ２３で、入力ソース制御部１２は、入力ソース設定がＵＳＢ入力であると判定すると（ステップＡ２３でＹｅｓ）、ステップＡ２４で、電源状態制御部１５を介してテレビジョン受像機１をスタンバイ状態に移行させる。これにより、図３（ｃ）に示すように、入力ソース設定がＵＳＢ入力である場合のテレビジョン受像機１からＵＳＢメモリ２−１が抜かれることで、テレビジョン受像機１がスタンバイ状態に移行する。図２に戻り、その後、上述のステップＡ１８で、入力ソース制御部１２は、「USB Pre State」に「USB Plug」の値を代入して、処理を終える。
【００３８】
一方、ステップＡ２３で、入力ソース制御部１２は、入力ソース設定がＵＳＢ入力でないと判定すると（ステップＡ２３でＮｏ）、この場合リモコン３等を介してユーザによって入力ソースが切り替えられているから、ステップＡ２４のスタンバイ処理は行わずに、上述のステップＡ１８で、「USB Pre State」に「USB Plug」の値を代入して、処理を終える。
【００３９】
また、ステップＡ２２で、入力ソース制御部１２は、電源状態制御部１５を介してテレビジョン受像機１がスタンバイ中であると判定すると（ステップＡ２２でＹｅｓ）、上述のステップＡ１８で、「USB Pre State」に「USB Plug」の値を代入して、処理を終える。
【００４０】
このように、入力ソース制御部１２は、ＵＳＢメモリ２−１が挿入されたことを検出すると、自動的にＵＳＢメモリ２−１に格納されたデータを再生させる。そのため、ユーザは、ＵＳＢメモリ２−１を外部入力部１１２に挿入させるという１ステップで、ＵＳＢメモリ２−１に格納されたデータをテレビジョン受像機１で再生させて楽しむことができる。
【００４１】
具体的には、入力ソース制御部１２は、ＵＳＢメモリ２−１が挿入されたときに、テレビジョン受像機１がスタンバイ状態であれば、自動的にスタンバイ状態から復帰させて電源ＯＮ状態にする。そのため、ユーザは、リモコン３等によってテレビジョン受像機１をスタンバイ状態から復帰させる操作を行うことなく、再生させたい静止画や動画等のデータが格納されたＵＳＢメモリ２−１を外部入力部１１２に挿入するだけで、すぐにＵＳＢメモリ２−１に格納された静止画や動画等をテレビジョン受像機１で表示させることができる。また、入力ソース制御部１２は、ＵＳＢメモリ２−１が挿入されたときに、入力ソース設定がＵＳＢ入力でなければ、入力ソース設定をＵＳＢ入力に設定して、ＵＳＢメモリ２−１に格納されたデータを再生させる。そのため、ユーザは、テレビ番組等を視聴している最中であっても、リモコン３等によりテレビジョン受像機１の入力ソース設定を変更させる操作を行うことなく、再生させたい静止画や動画等のデータが格納されたＵＳＢメモリ２−１を外部入力部１１２に挿入するだけで、すぐにＵＳＢメモリ２−１に格納された静止画や動画等をテレビジョン受像機１で表示させることができる。
【００４２】
また、入力ソース制御部１２は、ＵＳＢメモリ２−１が抜かれたことを検出すると、テレビジョン受像機１が電源ＯＮ状態であって、かつ、入力ソース設定がＵＳＢ入力である場合のみ、電源状態制御部１５を介してテレビジョン受像機１を電源ＯＮ状態からスタンバイ状態に移行させる。これにより、ユーザは、ＵＳＢメモリ２−１を抜くことで、自動的にテレビジョン受像機１をスタンバイ状態にさせることができる。一方、ユーザは、テレビ放送やＨＤＭＩ等の入力ソースによる視聴の際に、抜き忘れたＵＳＢメモリ２−１を抜いたとしても、テレビジョン受像機１をスタンバイ状態にさせることなく、継続してテレビ放送やＨＤＭＩ等の入力ソースによる視聴を楽しむことができる。また、このように、ＵＳＢメモリ２−１の抜き差しにより、テレビジョン受像機１の電源状態がスタンバイ状態又は電源ＯＮ状態に切り替わるので、ＵＳＢメモリ２−１の抜き差しをテレビジョン受像機１の電源状態の切替スイッチとして利用することができる。
【００４３】
また、入力ソース制御部１２は、「USB Pre State」により、前周期のＵＳＢメモリ２−１の接続状態を保持している。この「USB Pre State」は、テレビジョン受像機１の主電源がＯＦＦ状態（テレビジョン受像機１の電源が完全に落ちた状態）であるときも保持される。そのため、入力ソース制御部１２は、例えば停電等でテレビジョン受像機１の主電源が落ちたとしても、電源復帰時に、前周期のＵＳＢメモリ２−１の接続状態（テレビジョン受像機１の主電源が落ちる前のＵＳＢメモリ２−１の接続状態）である「USB Pre State」と、今周期のＵＳＢメモリ２−１の接続状態（テレビジョン受像機１の主電源が復帰してからのＵＳＢメモリ２−１との接続状態）である「USB Plug」とを比較して処理を進めることができる。そのため、入力ソース制御部１２は、テレビジョン受像機１の主電源が復帰した後のユーザによるＵＳＢメモリ２−１の接続操作に対して、テレビジョン受像機１の主電源が落ちる前のＵＳＢメモリ２−１の接続状態に基づいて、停電等の外乱に影響されずに、スタンバイ処理や入力ソース設定、ＵＳＢメモリ２−１のデータ再生等の処理を行うことができる。
【００４４】
なお、上記実施形態では、入力ソース制御部１２が、ＵＳＢメモリ２−１の着脱を検知した場合、予め決められた処理として、ＵＳＢメモリ２−１が挿入されると、入力ソースをＵＳＢに切り替えてＵＳＢメモリ２−１に格納されたデータを再生し、ＵＳＢメモリ２−１が抜かれると、テレビジョン受像機１をスタンバイ状態に移行させていたが、ＵＳＢメモリ２−１の着脱を検知したときの処理をユーザが設定できるようにしてもよい。
【００４５】
本来であれば、例えば、テレビジョン受像機１にＢＤ／ＤＶＤ／ＨＤＤ／携帯電話やスマートフォン等の外部機器を接続した場合、これらの外部機器を使用できるように、リモコン３を介して、複数の入力切替先（入力１、入力２、・・・入力ｎ）から外部機器の接続先を選択し、機器間通信設定等の複雑な操作を行う必要がある。また、リモコン３が手元に無い場合や、リモコン３の電池が無くて使用できない場合、テレビジョン受像機１本体に設けられた不図示のボタンを用いて、電源や音量、選局切替等を行うことができるが、ボタンの種別が少ない上、薄型テレビの場合、本体側面等の限られたスペースに搭載するためボタンのサイズが小さく、操作が分かりにくかった。これらの操作は、初心者や子供、高齢者、また外国人等の日本語を読めない人等にとって特に難しいものであった。そこで、例えば比較的操作に慣れたユーザが、予めＵＳＢメモリ２−１の着脱を検知したときの処理を設定しておくことで、初心者や子供、高齢者、また外国人等の文字を読めない人等が使用する際に、ＵＳＢメモリ２−１の着脱操作という簡易な操作で上記の機能を実行できるようになる。
【００４６】
例えば、図４は、ＵＳＢメモリ２−１の着脱時の処理を設定するメニュー設定の様子を示した図である。まず、ユーザは、リモコン操作により、ＵＳＢメモリ２−１の着脱時の処理を設定するメニュー画面を表示させる。図示では、設定可能なＵＳＢインターフェースとして、ＵＳＢ１、ＵＳＢ２が表示されている（第１階層）。ここでは、外部入力部１１２に２つのＵＳＢインターフェースが設けられているものとし、ＵＳＢインターフェースのそれぞれにＵＳＢ１又はＵＳＢ２が対応している。このように、外部入力部１１２に複数のＵＳＢインターフェースが設けられている場合、各ＵＳＢインターフェースに対するＵＳＢメモリ２−１の着脱時における処理内容をそれぞれ設定することができる。
【００４７】
リモコン操作により、ＵＳＢ１又はＵＳＢ２が選択されると、選択されたＵＳＢインターフェースに対するＵＳＢメモリ２−１の操作として、挿入又は抜去を選択する画面が表示される（第２階層）。リモコン操作により、挿入又は抜去のいずれかの操作内容が選択されると、選択された操作内容に対する処理内容を設定する画面が表示される（第３階層）。この画面では、例えば、電源設定としてＯｆｆ／Ｏｎ／何もしないや、入力切替設定としてＡＴＶ／ＨＤＭＩ／Ｃｏｍｐｏｓｉｔｅ、明るさ設定として−１６〜＋１６、音量設定として０〜１００等を設定することができる。このように、ＵＳＢメモリ２−１の着脱時の処理として、一度に複数の処理を割り当ててもよいし、例えば電源のＯｆｆ等の１つの処理だけを割り当てることもできる。なお、その他にも、チャンネル切替（例えば、よく見ている希望の選局番組）や画面の色相、画質、サイズ設定、電子番組表の表示やデータ放送の表示切替等の処理を組み合わせて設定できるようにしてもよい。
【００４８】
このように、予めメニュー画面を介したユーザ操作により、ＵＳＢインターフェースとＵＳＢメモリ２−１の着脱と関連付けて、電源ＯＮ／ＯＦＦや入力切替、明るさ、音量等の各種機能を割り振っておくことで、ＵＳＢメモリ２−１の着脱操作だけで各機能を簡単に操作できるようになる。例えば、図５に示すように、ＵＳＢメモリ２−１を挿入することにより、入力ソースをＨＤＭＩ１に切り替えたり、入力ソースをＵＳＢに切り替えるとともに明るさを１０、音量を２５に設定したり、電源をＯｆｆ（スタンバイ状態）にしたり等の処理を自動的に行わせることができる。ＵＳＢメモリ２−１を抜いたときの処理も同様に、予めユーザによって設定された内容に従って行われる。そのため、ＵＳＢメモリ２−１の着脱操作によって、リモコン３に代わる操作を行うことができ、操作に不慣れなユーザや文字を読めない外国人等が容易に操作できる。また、これによれば、空いているＵＳＢインターフェースを有効活用することができる。
【００４９】
なお、上記では、ＵＳＢメモリ２−１の着脱時の処理をユーザが設定可能として説明したが、これに限らず、外部入力部１１２に設けられた各外部入力インターフェースに対する外部機器の着脱時の処理をユーザが設定可能としてもよい。
【００５０】
また、外部入力部１１２は、ユーザによって外部機器２が抜かれる際に、外部機器外部機器２との信号線で発生する、外部機器２が抜かれることに伴う例えば予め測定された所定のノイズを検出し、ノイズを検出するとただちに外部機器２に対する読み書き処理を終了し、外部機器２を取り外し可能にする取り外し部を有してもよい。また、外部入力部１１２は、外部インターフェースの外部機器２との接点に、外部機器２が接しているか否かを検出する感圧部を設けてもよい。取り外し部は、ユーザにより外部機器２が抜かれる際の感圧部における接圧力の微細な変化を検出し、ユーザが外部機器２を抜こうとしていることを検出してもよい。これによれば、ユーザが、外部機器２、例えばＵＳＢメモリ２−１を取り外す際に、所定の取り外し操作を行うことなく、データの再生中であっても簡単にＵＳＢメモリ２−１を取り外すことができる。その後、入力ソース制御部１２は、ＵＳＢメモリ２−１が抜かれたことを検出して、テレビジョン受像機１をスタンバイ状態に移行させることができる。
【００５１】
また、外部入力部１１２は、外部機器２に対するユーザの所定操作を、信号線のノイズ又は感圧部による検出値の変化により検出して、所定処理を行うデータ処理部を備えてもよい。例えば、データ処理部は、ユーザによってＵＳＢメモリ２−１が１回タップされた（軽く叩かれた）ことを検出した場合、ＵＳＢメモリ２−１に格納されたデータをテレビジョン受像機１が備える不図示のメモリにコピーしてもよい。また、データ処理部は、ユーザによってＵＳＢメモリ２−１が２回タップされたことを検出した場合、ＵＳＢメモリ２−１に格納されたデータを消去してもよい。なお、所定操作に対応するタップの回数は、適宜設定されればよい。
【００５２】
本発明は上述した実施の形態に限定されるものではなく、本発明の趣旨を逸脱しない範囲で種々様々に変更が可能であることは言うまでもない。例えば、本発明は、テレビジョン受像機１を例に説明したが、これに限定されず、表示モニターやＰＣ、テレビ受信機能を備えた端末機器（ワンセグ携帯・スマートフォン等）等にも好適に応用することができる。なお、上記実施形態において、同様の機能を示す構成には、同一の符号を付してある。
【符号の説明】
【００５３】
１：テレビジョン受像機
２（２−１，２−２，・・・，２−ｎ）：外部機器
３：リモコン
１１：入力ソース取得部
１２：入力ソース制御部
１３：コンテンツ処理部
１４：出力部
１５：電源状態制御部
１６：本体処理制御部
１７：リモコン受信部
１１１：チューナー部
１１２：外部入力部
１２１：ビデオセレクタ部
１２２：オーディオセレクタ部
１３１：ＯＳＤ処理部
１３２：映像処理部
１３３：加算部
１３４：表示制御部
１３５：音声出力制御部
１４１：表示部
１４２：スピーカ
【図１】
2013186707.tif 000003
【図２】
2013186707.tif 000004
【図３】
2013186707.tif 000005
【図４】
2013186707.tif 000006
【図５】
2013186707.tif 000007